(57)【要約】【課題】バーコードを表示するための帯状電極とこの帯状電極に電位を印加するための配線電極とを異なる層で構成する。【解決手段】バーコードを表示するためにバーに対応する帯状電極として、その長手方向の一方の端部にランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが接続された帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘと、その長手方向の他方の端部にランド部１２ａ，１２ｅ，１２ｉ，１２ｍ，１２ｑ，１２ｕが接続された帯状電極１１ａ，１１ｅ，１１ｉ，１１ｍ，１１ｑ，１１ｕとが混在している。【選択図】図２
2014170101.tif 000002
【特許請求の範囲】
【請求項１】
少なくとも２色のバーがその幅方向に並んで表現されるバーコードを表示するバーコード表示媒体であって、
絶縁層の一方の面に形成され、前記バーの並び方向に並んで配置された複数の帯状電極と、
前記絶縁層の前記一方の面に形成され、前記複数の帯状電極のそれぞれに接続された複数の接続部と、
前記絶縁層の他方の面に形成され、前記複数の帯状電極のそれぞれに電位を印加するための複数の配線電極と、
前記絶縁層の前記複数の接続部が形成された領域にそれぞれ形成され、前記複数の接続部と前記複数の配線電極とを導通させる複数のスルーホールと、
前記複数の帯状電極に対向して配置され、前記複数の帯状電極に印加された電位に応じた色を表示する情報表示手段とを有し、
前記複数の帯状電極は、当該帯状電極の長手方向の一方の端部に前記接続部が接続された第１の帯状電極群と、当該帯状電極の長手方向の他方の端部に前記接続部が接続された第２の帯状電極群とが混在して形成されているバーコード表示媒体。
【請求項２】
請求項１に記載のバーコード表示媒体において、
前記第１の帯状電極群を構成する複数の帯状電極に接続された前記複数の接続部は、当該接続部が接続された帯状電極との距離が互いに異なるものが混在しているバーコード表示媒体。
【発明の詳細な説明】
【技術分野】
【０００１】
本発明は、バーコードを表示するバーコード表示媒体に関し、特に、電極を多層に配置可能とする技術に関する。
【背景技術】
【０００２】
従来より、物品を管理するためにバーコードが利用されている。このバーコードは、白色領域にて識別情報を複数本からなる黒色線の幅及び間隔で表したものであり、バーコードリーダで読み取ることにより識別情報を認識することができる。このようなバーコードは、物品に直接印刷されたり、ラベルに印刷されて物品に貼付されたりして利用される。そのため、一度印刷されたバーコードを変更することができず、バーコードを変更する場合は、物品にバーコードを印刷しなおしたり、変更したバーコードが印刷されたラベルを貼りなおしたりしなければならない。
【０００３】
近年では、対向する電極間に液晶や表示媒体を配置し、その電極に印加する電位を用いて液晶や表示媒体の状態を変化させて情報を表示する情報表示パネルを用いてバーコード表示を行う技術が考えられている（例えば、特許文献１参照。）。
【０００４】
図７は、従来のバーコード表示媒体に用いられる配線電極基板の一例を示す図である。
【０００５】
図７に示すように、本例における配線電極基板２１０においては、基板２１６上に、バーコードのバーの最小幅を有する複数の帯状電極２１１ａ〜２１１ｘがその幅方向に互いに近接して並べられて形成されている。複数の帯状電極２１１ａ〜２１１ｘのそれぞれには長手方向の一端に接続部２１２ａ〜２１２ｘが接続されており、この接続部２１２ａ〜２１２ｘがそれぞれ、複数の帯状電極２１１ａ〜２１１ｘに電位を印加するためのコントローラ（不図示）に接続される。
【０００６】
このように構成された配線電極基板２１０をバーコード表示媒体に用いた場合、コントローラから接続部２１２ａ〜２１２ｘを介して帯状電極２１１ａ〜２１１ｘに選択的に所定の電位が印加されることにより、上述したような情報表示パネルの表示が切り替えられてバーコードを表示することができる。
【先行技術文献】
【特許文献】
【０００７】
【特許文献１】特開２００６−２３４９１１号公報
【発明の概要】
【発明が解決しようとする課題】
【０００８】
ところで、上述したような配線電極基板２１０においては、回路構成が複雑となった場合等において、他の回路や配線との兼ね合いから多層基板で構成する必要が生じる場合がある。その場合、基板２１６の接続部２１２ａ〜２１２ｘとなる領域にスルーホールを形成するとともに、帯状電極２１１ａ〜２１１ｘにコントローラから電位を印加するための配線電極を基板２１６の裏面に形成し、帯状電極２１１ａ〜２１１ｘと配線電極とをスルーホールによって導通させることになる。
【０００９】
しかしながら、帯状電極２１１ａ〜２１１ｘは、バーコードのバーの最小幅を有して互いに近接して形成されているため、スルーホールを形成するだけのスペースを確保することができず、多層基板で構成することができないという問題点がある。特に、帯状電極２１１ａ〜２１１ｘと配線電極とを基板２１６の表裏に形成するのではなく、基板２１６上に配線電極を形成した後、その上にて、スルーホールとなる領域以外に絶縁インキによってレジスト層を積層し、このレジスト層上に帯状電極２１１ａ〜２１１ｘ及び接続部２１２ａ〜２１２ｘを形成する場合、絶縁インキは基板２１６上に塗工した際に広がるため、スルーホールを大きめに設計する必要があり、そのため、設計段階においてスルーホールを形成するだけのスペースを確保することができない。
【００１０】
本発明は、上述したような従来の技術が有する問題点に鑑みてなされたものであって、バーコードを表示するための帯状電極とこの帯状電極に電位を印加するための配線電極とを異なる層で構成することができるバーコード表示媒体を提供することを目的とする。
【課題を解決するための手段】
【００１１】
上記目的を達成するために本発明は、
少なくとも２色のバーがその幅方向に並んで表現されるバーコードを表示するバーコード表示媒体であって、
絶縁層の一方の面に形成され、前記バーの並び方向に並んで配置された複数の帯状電極と、
前記絶縁層の前記一方の面に形成され、前記複数の帯状電極のそれぞれに接続された複数の接続部と、
前記絶縁層の他方の面に形成され、前記複数の帯状電極のそれぞれに電位を印加するための複数の配線電極と、
前記絶縁層の前記複数の接続部が形成された領域にそれぞれ形成され、前記複数の接続部と前記複数の配線電極とを導通させる複数のスルーホールと、
前記複数の帯状電極に対向して配置され、前記複数の帯状電極に印加された電位に応じた色を表示する情報表示手段とを有し、
前記複数の帯状電極は、当該帯状電極の長手方向の一方の端部に前記接続部が接続された第１の帯状電極群と、当該帯状電極の長手方向の他方の端部に前記接続部が接続された第２の帯状電極群とが混在して形成されている。
【００１２】
上記のように構成された本発明においては、バーコードを表示するための帯状電極とこの帯状電極に電位を印加するための配線電極とが絶縁層の互いに異なる面に形成され、これら帯状電極と配線電極とが、絶縁層に形成されたスルーホールにて接続部を介して互いに接続されているが、複数の帯状電極が、帯状電極の長手方向の一方の端部に接続部が接続された第１の帯状電極群と、帯状電極の長手方向の他方の端部に接続部が接続された第２の帯状電極群とが混在して形成されているので、スルーホールが複数の帯状電極の長手方向の一方の端部と他方の端部とに分散して形成されていることになり、それにより、帯状電極の幅が狭い場合であっても、接続部が形成された領域にてスルーホールを形成するために十分なスペースが確保されることになる。
【００１３】
また、第１の帯状電極群を構成する複数の帯状電極に接続された複数の接続部が、接続部が接続された帯状電極との距離が互いに異なるものが混在しているものとすることにより、帯状電極の長手方向の一方の端部側のみにおいても、接続部が形成された領域にてスルーホールを形成するために十分な間隔を確保することができる。
【発明の効果】
【００１４】
本発明によれば、複数の帯状電極が、帯状電極の長手方向の一方の端部に接続部が接続された第１の帯状電極群と、帯状電極の長手方向の他方の端部に接続部が接続された第２の帯状電極群とが混在して形成された構成としたため、スルーホールが複数の帯状電極の長手方向の一方の端部と他方の端部とに分散して形成されることになり、それにより、接続部が形成された領域にてスルーホールを形成するために十分な間隔が確保され、バーコードを表示するための帯状電極とこの帯状電極に電位を印加するための配線電極とを異なる層で構成することができる。
【００１５】
また、第１の帯状電極群を構成する複数の帯状電極に接続された接続部が、接続部が接続された帯状電極との距離が互いに異なるものが混在している構成としたものにおいては、帯状電極の長手方向の一方の端部側のみにおいても、接続部が形成された領域にてスルーホールを形成するために十分な間隔を確保することができる。
【図面の簡単な説明】
【００１６】
【図１】本発明のバーコード表示媒体によって表示されるバーコードの一例を示す図である。
【図２】本発明のバーコード表示媒体の第１の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図、（ｄ）はレジスト層を取り除いた構成を示す図である。
【図３】図２に示した配線電極基板を用いたバーコード表示媒体の構成を示す図であり、（ａ）は積層状態を示す図、（ｂ）は（ａ）に示したＡ部拡大図である。
【図４】図２に示した配線電極基板にて生じる効果を説明するための図であり、（ａ）はランド部が図２（ａ）中上側に配置された領域の拡大図、（ｂ）はランド部が図２（ａ）中下側に配置された領域の拡大図である。
【図５】本発明のバーコード表示媒体の第２の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図、（ｄ）はレジスト層を取り除いた構成を示す図である。
【図６】図５に示した配線電極基板にて生じる効果を説明するための図である。
【図７】従来のバーコード表示媒体に用いられる配線電極基板の一例を示す図である。
【発明を実施するための形態】
【００１７】
以下に、本発明の実施の形態について図面を参照して説明する。
【００１８】
まず、本発明のバーコード表示媒体によって表示されるバーコードについて説明する。
【００１９】
図１は、本発明のバーコード表示媒体によって表示されるバーコードの一例を示す図である。
【００２０】
本例におけるバーコードは図１に示すように、白色を具備するバー２と、黒色を具備するバー３とがその幅方向に交互に並んで表示され、バー２，３の幅によって識別情報が表現されている。
【００２１】
（第１の実施の形態）
図２は、本発明のバーコード表示媒体の第１の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図、（ｄ）はレジスト層１５を取り除いた構成を示す図である。なお、図２に示す配線電極基板１０は、図１に示したバーコード１を表示するためのバーコード表示媒体に用いられるものである。
【００２２】
本形態における配線電極基板は図２に示すように、基板１６の一方の面に複数の配線電極１３ａ〜１３ｘが形成され、その上に絶縁層となるレジスト層１５が積層され、このレジスト層１５上に複数の帯状電極１１ａ〜１１ｘが微小間隔で並んで形成されているとともに、帯状電極１１ａ〜１１ｘのそれぞれに接続された接続部となるランド部１２ａ〜１２ｘが形成されて構成されている。これにより、帯状電極１１ａ〜１１ｘ及びランド部１２ａ〜１２ｘがレジスト層１５の一方の面に形成され、配線電極１３ａ〜１３ｘがレジスト層１５の他方の面に形成された状態となっている。
【００２３】
帯状電極１１ａ〜１１ｘは、図１に示したバー２，３の最小幅を有して、レジスト層１５上にバーの並び方向に並んで配置されている。
【００２４】
ランド部１２ａ〜１２ｘは、帯状電極１１ａ〜１１ｘのそれぞれに対応して設けられ、帯状電極１１ａ〜１１ｘの長手方向両端部のうちいずれか一方の端部に接続されている。具体的には、ランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが、帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘの図２（ａ）中上側の端部に接続され、ランド部１２ａ，１２ｅ，１２ｉ，１２ｍ，１２ｑ，１２ｕが、帯状電極１１ａ，１１ｅ，１１ｉ，１１ｍ，１１ｑ，１１ｕの図２（ａ）中下側の端部に接続されている。これにより、帯状電極１１ａ〜１１ｘは、その長手方向の一方の端部にランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが接続された帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘからなる第１の帯状電極群と、その長手方向の他方の端部にランド部１２ａ，１２ｅ，１２ｉ，１２ｍ，１２ｑ，１２ｕが接続された帯状電極１１ａ，１１ｅ，１１ｉ，１１ｍ，１１ｑ，１１ｕからなる第２の帯状電極群とが混在して形成されている。また、帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘに接続されたランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘは、帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘとの距離が互いに異なるものが混在している。具体的には、ランド部１２ｂ，１２ｄ，１２ｇ，１２ｊ，１２ｌ，１２ｏ，１２ｒ，１２ｔ，１２ｗとこれらに接続された帯状電極１１ｂ，１１ｄ，１１ｇ，１１ｊ，１１ｌ，１１ｏ，１１ｒ，１１ｔ，１１ｗとの距離が互いに等しく、ランド部１２ｃ，１２ｆ，１２ｈ，１２ｋ，１２ｎ，１２ｐ，１２ｓ，１２ｖ，１２ｘとこれらに接続された帯状電極１１ｃ，１１ｆ，１１ｈ，１１ｋ，１１ｎ，１１ｐ，１１ｓ，１１ｖ，１１ｘとの距離が互いに等しくなっており、これらランド部１２ｂ，１２ｄ，１２ｇ，１２ｊ，１２ｌ，１２ｏ，１２ｒ，１２ｔ，１２ｗと帯状電極１１ｂ，１１ｄ，１１ｇ，１１ｊ，１１ｌ，１１ｏ，１１ｒ，１１ｔ，１１ｗとの距離よりも、ランド部１２ｃ，１２ｆ，１２ｈ，１２ｋ，１２ｎ，１２ｐ，１２ｓ，１２ｖ，１２ｘと帯状電極１１ｃ，１１ｆ，１１ｈ，１１ｋ，１１ｎ，１１ｐ，１１ｓ，１１ｖ，１１ｘとの距離の方が長いものとなっている。
【００２５】
このように、帯状電極１１ａ〜１１ｘ及びそれに接続されたランド部１２ａ〜１２ｘは、その配置が８組毎に周期的に変化したものとなっている。具体的には、ランド部が図２（ａ）中下側に配置されたものと、ランド部が図２（ａ）中上側の帯状電極近くに配置されたものと、ランド部が図２（ａ）中上側の帯状電極から離れて配置されたものと、ランド部が図２（ａ）中上側の帯状電極近くに配置されたものと、ランド部が図２（ａ）中下側に配置されたものと、ランド部が図２（ａ）中上側の帯状電極から離れて配置されたものと、ランド部が図２（ａ）中上側の帯状電極の近くに配置されたものと、ランド部が図２（ａ）中上側の帯状電極から離れて配置されたものとで１組となって、それが帯状電極１１ａ〜１１ｘの並び方向に繰り返し配置されている。また、この１組となったものにおいても、ランド部が図２（ａ）中上側に配置されたものにおいては、ランド部が帯状電極と接続される位置が帯状電極１１ａ〜１１ｘの並び方向にずれている。具体的には、帯状電極１１ａ〜１１ｈの組で言えば、ランド部１２ｂは帯状電極１１ｂの端部のうち帯状電極１１ａ側にて帯状電極１１ｂと接続されており、ランド部１２ｃは帯状電極１１ｃの端部の中央部分にて帯状電極１１ｃと接続されており、ランド部１２ｄは帯状電極１１ｄの端部のうち帯状電極１１ｅ側にて帯状電極１１ｄと接続されており、ランド部１２ｆは帯状電極１１ｆの端部のうち帯状電極１１ｅ側にて帯状電極１１ｆと接続されており、ランド部１２ｇは帯状電極１１ｇの端部の中央部分にて帯状電極１１ｇと接続されており、ランド部１２ｈは帯状電極１１ｈの端部のうち帯状電極１１ｉ側にて帯状電極１１ｈと接続されている。なお、ランド部が図２（ａ）中下側に配置されたものにおいては、全てのランド部１２ａ，１２ｅ，１２ｉ，１２ｍ，１２ｑ，１２ｕが、帯状電極１１ａ，１１ｅ，１１ｉ，１１ｍ，１１ｑ，１１ｕの端部の中央部分にて帯状電極１１ａ，１１ｅ，１１ｉ，１１ｍ，１１ｑ，１１ｕと接続されている。
【００２６】
レジスト層１５は、基板１６の配線電極１３ａ〜１３ｘが形成された面のうち、ランド部１２ａ〜１２ｘが形成された領域を除く全面に絶縁インキを塗工することによって積層されている。それにより、レジスト層１５には、ランド部１２ａ〜１２ｘが形成された領域に表裏貫通したスルーホール１４ａ〜１４ｘが形成されており、このスルーホール１４ａ〜１４ｘによってランド部１２ａ〜１２ｘと配線電極１３ａ〜１３ｘとが導通している。
【００２７】
配線電極１３ａ〜１３ｘは、帯状電極１１ａ〜１１ｘに電位を印加するためのものであって、帯状電極１１ａ〜１１ｘのそれぞれに対応して、帯状電極１１ａ〜１１ｘよりも狭い幅を有して基板１６上に形成されている。配線電極１３ａ〜１３ｘは、ランド部１２ａ〜１２ｘに対向する領域にランド部１２ａ〜１２ｘと略同一形状の接続部を有し、この接続部から基板１６の一端まで延び、帯状電極１１ａ〜１１ｘに電位を印加するためのコントローラ（不図示）に接続される。また、ランド部１２ａ〜１２ｘが、帯状電極１１ａ〜１１ｘの長手方向の一方の端部側と他方の端部側とに分散して形成されていることにより、配線電極１３ａ〜１３ｘのそれぞれの接続部が、基板１６の一方の端部側と他方の端部側とに分散している。そして、コントローラに接続される側とは反対側に接続部が配置された配線電極１３ｂ〜１３ｄ，１３ｆ〜１３ｈ，１３ｊ〜１３ｌ，１３ｎ〜１３ｐ，１３ｒ〜１３ｔ，１３ｖ〜１３ｘは、配線電極１３ａ，１３ｅ，１３ｉ，１３ｍ，１３ｑ，１３ｕの接続部の近傍においては、隣接する配線電極１３ａ，１３ｅ，１３ｉ，１３ｍ，１３ｑ，１３ｕの接続部から離れるように屈曲して形成されている。
【００２８】
図３は、図２に示した配線電極基板１０を用いたバーコード表示媒体の構成を示す図であり、（ａ）は積層状態を示す図、（ｂ）は（ａ）に示したＡ部拡大図である。
【００２９】
本形態におけるバーコード表示媒体は図３に示すように、図２に示した配線電極基板１０の帯状電極１１ａ〜１１ｘが形成された面に、情報表示手段である情報表示層２０と、透明導電膜基板３０とが積層されて構成されている。透明導電膜基板３０は、ガラス等からなる透明基板３１の一方の面に透明電極（例えば、ＩＴＯ）３２が形成されて構成されている。また、情報表示層２０は、隔壁２１とシール層２４とで囲まれた領域に、帯電性粒子２３が分散した隔壁内液体２２が収容されて構成されている。そして、これら配線電極基板１０、情報表示層２０及び透明導電膜基板３０は、透明電極３２と帯状電極１１ａ〜１１ｘとが、隔壁２１とシール層２４とで囲まれた領域に収容された隔壁内液体２２を介して対向するように積層されている。なお、隔壁２１は、底部と、情報表示層２０の外周部となる側部と、側部で囲まれた領域を複数の領域に区画するための壁部とからなり、底部とは反対側の面が開口した形状となっている。そして、底部側が配線電極基板１０に対向するように積層されており、開口した側にシール層２４が積層されている。
【００３０】
上記のように構成されたバーコード表示媒体４においては、透明電極３２がＧＮＤ電位とされ、帯状電極１１ａ〜１１ｘがプラス電位あるいはマイナス電位とされると、隔壁２１で囲まれた領域に収容された隔壁内液体２２が誘電性物質からなり、帯電性粒子２３がマイナス電位に帯電しているものであることから、帯電性粒子２３が隔壁内液体２２内をクーロン力で移動し、マイナス電位とされた帯状電極に対向する領域においては帯電性粒子２３が透明電極３２側に引き寄せられていき、また、プラス電位とされた帯状電極に対向する領域においては帯電性粒子２３が配線電極基板１０側に引き寄せられていく。
【００３１】
そして、隔壁内液体２２が染料または顔料で着色されており、帯電性粒子２３が高屈折率の光散乱成分を含むため、配線電極基板１０側に帯電性粒子２３が引き寄せられた領域が着色された状態となり、また、透明電極３２側に帯電性粒子２３が引き寄せられた領域が白色となる。
【００３２】
帯状電極１１ａ〜１１ｘの幅が、図１に示したバーコード１のバー２，３の最小幅となっているため、黒色で表示されるバー３の幅が帯状電極１１ａ〜１１ｘの幅と同一である場合は、１つの帯状電極がプラス電位とされるとともにその帯状電極に隣接する帯状電極がマイナス電位とされ、また、黒色で表示されるバー３の幅が帯状電極１１ａ〜１１ｘの幅の２倍である場合は、隣接する２つの帯状電極がプラス電位とされるとともにその２つの帯状電極の両側に隣接する帯状電極がマイナス電位とされ、また、黒色で表示されるバー３の幅が帯状電極１１ａ〜１１ｘの幅の３倍である場合は、隣接する３つの帯状電極がプラス電位とされるとともにその３つの帯状電極の両側に隣接する帯状電極がマイナス電位とされるというように、黒色で表示されるバー３の幅に応じて帯状電極１１ａ〜１１ｘがプラス電位あるいはマイナス電位とされる。同様に、白色で表示されるバー２の幅が帯状電極１１ａ〜１１ｘの幅と同一である場合は、１つの帯状電極がマイナス電位とされるとともにその帯状電極に隣接する帯状電極がプラス電位とされ、また、白色で表示されるバー２の幅が帯状電極１１ａ〜１１ｘの幅の２倍である場合は、隣接する２つの帯状電極がマイナス電位とされるとともにその２つの帯状電極の両側に隣接する帯状電極がプラス電位とされ、また、白色で表示されるバー２の幅が帯状電極１１ａ〜１１ｘの幅の３倍である場合は、隣接する３つの帯状電極がマイナス電位とされるとともにその３つの帯状電極の両側に隣接する帯状電極がプラス電位とされるというように、白色で表示されるバー２の幅に応じて帯状電極１１ａ〜１１ｘがプラス電位あるいはマイナス電位とされる。これにより、透明導電膜基板３０を配線電極基板１０とは反対側から見た場合、図１に示したバーコード１が表現され、識別情報が認識されることになる。なおこの際、バー２，３の幅に応じて同一の電位とされる複数の帯状電極は、微小間隔で並んで配置されているので、隣接する複数の帯状電極を同一の電位とした場合、微小間隔は認識されず、隣接する２つの帯状電極が同一電位とされた場合は、帯状電極の２倍の太さのバー２，３が認識され、隣接する３つの帯状電極１４が同一電位とされた場合は、帯状電極の３倍の太さのバー２，３が認識されることになる。
【００３３】
なお、図３に示したものにおいては、黒色と白色の２色でバー２，３が表示されているが、情報表示層２０の構成によって３色以上でバーを表示することもできる。
【００３４】
また、上述したように、隔壁内液体２２に分散した帯電性粒子２３が、表裏に生じた電位差によって移動して表示が切り替わる垂直型電気泳動方式のものに限らず、表裏の配置された電極間における相転移による２つの異なる分子配向を利用して表示を行うコレステリック液晶方式や、有機染料を電気的に可逆的に酸化／還元状態にすることにより発色させるエレクトロクロミック方式や、電子粉粒体を用いたものや、ＥＬ（Electro Luminescence）等、電圧印加によって表示が切り替わるものであってもよい。
【００３５】
以下に、図２に示した配線電極基板１０にて生じる効果について説明する。
【００３６】
図２に示した配線電極基板１０においては、バーコードを表示するための帯状電極１１ａ〜１１ｘとこの帯状電極１１ａ〜１１ｘに電位を印加するための配線電極１３ａ〜１３ｘとがレジスト層１５の互いに異なる面に形成され、これら帯状電極１１ａ〜１１ｘと配線電極１３ａ〜１３ｘとが、レジスト層１５に形成されたスルーホール１４ａ〜１４ｘにてランド部１２ａ〜１２ｘを介して互いに接続されているが、帯状電極１１ａ〜１１ｘが、その長手方向の一方の端部にランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが接続された帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘと、その長手方向の他方の端部にランド部１２ａ，１２ｅ，１２ｉ，１２ｍ，１２ｑ，１２ｕが接続された帯状電極１１ａ，１１ｅ，１１ｉ，１１ｍ，１１ｑ，１１ｕとが混在して形成されているので、スルーホール１４ａ〜１４ｘが帯状電極１１ａ〜１１ｘの長手方向の一方の端部と他方の端部とに分散して形成されていることになり、それにより、帯状電極１１ａ〜１１ｘの幅が狭い場合であっても、ランド部１２ａ〜１２ｘが形成された領域にてスルーホール１４ａ〜１４ｘを形成するために十分なスペースが確保されることになる。また、第１の帯状電極群を構成する帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘにそれぞれ接続されたランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが、帯状電極１１ｂ〜１１ｄ，１１ｆ〜１１ｈ，１１ｊ〜１１ｌ，１１ｎ〜１１ｐ，１１ｒ〜１１ｔ，１１ｖ〜１１ｘとの距離が互いに異なるものが混在しているものとすることにより、帯状電極１１ａ〜１１ｘの長手方向の一方の端部側のみにおいても、ランド部１２ｂ〜１２ｄ，１２ｆ〜１２ｈ，１２ｊ〜１２ｌ，１２ｎ〜１２ｐ，１２ｒ〜１２ｔ，１２ｖ〜１２ｘが形成された領域にてスルーホール１４ｂ〜１４ｄ，１４ｆ〜１４ｈ，１４ｊ〜１４ｌ，１４ｎ〜１４ｐ，１４ｒ〜１４ｔ，１４ｖ〜１４ｘを形成するために十分な間隔を確保することができる。なお、レジスト層１５を構成する絶縁インキは、基板１６上に塗工した際に広がるため、スルーホール１４ａ〜１４ｘが設計値よりも小さく潰れる傾向にあるが、上記のように、スルーホール１４ａ〜１４ｘを形成するために十分なスペースが確保されるため、スルーホール１４ａ〜１４ｘを実際の大きさよりも大きめのものとして設計することができる。
【００３７】
以下に、上述した効果について具体例を挙げて説明する。
【００３８】
図４は、図２に示した配線電極基板１０にて生じる効果を説明するための図であり、（ａ）はランド部が図２（ａ）中上側に配置された領域の拡大図、（ｂ）はランド部が図２（ａ）中下側に配置された領域の拡大図である。
【００３９】
図４（ａ）に示すように、ランド部が図２（ａ）中上側に配置された領域においては、例えば、スルーホール１４ｂ〜１４ｄが形成されたランド部１２ｂ〜１２ｄの中心をそれぞれＥ，Ｆ，Ｈとした場合に、△ＤＥＦ及び△ＤＦＨが、ＤＥ＝ＤＦ＝ＤＨの直角二等辺三角形となるように、かつ、スルーホール１４ｆが形成されたランド部１２ｆの中心をＩとした場合に、△ＧＨＩがＧＨ＝ＧＩの直角二等辺三角形となるように、ランド部１２ｂ〜１２ｄ，１２ｆをそれぞれ形成する。
【００４０】
ランド部１２ｂ〜１２ｄ，１２ｆの径をｒ、帯状電極１１ａ〜１１ｘの幅をｂ、帯状電極１１ｂ〜１１ｄ，１１ｆとランド部１２ｂ〜１２ｄ，１２ｆとを接続する接続部分１７ｂ〜１７ｄ，１７ｆの幅をｌとし、帯状電極間１１ａ〜１１ｘ間の間隔を、帯状電極間１１ａ〜１１ｘ間が短絡しないような間隔ｔとし、ランド部１２ｂ〜１２ｄ，１２ｆ間の間隔をそれぞれｔ１，ｔ２としてランド部１２ｂ〜１２ｄ，１２ｆの径ｒを求める。なお、接続部分１７ｂ〜１７ｄ，１７ｆの幅ｌは、配線電極１３ａ〜１３ｘの幅と同一である。
【００４１】
△ＤＥＦからランド部１２ｂ〜１２ｄの径ｒを求めると、
ＤＥ＝（３ｂ＋２ｔ−ｌ）／２
ＥＦ＝ｒ＋ｔ１
ＥＦ＝√２×ＤＥ
となり、上記３式より、
ｒ＋ｔ１＝√２×｛（３ｂ＋２ｔ−ｌ）／２｝
となる。
【００４２】
ランド部１２ｂ，１２ｃ間の間隔ｔ１を、これらランド部１２ｂ，１２ｃ間が短絡しないように帯状電極１１ａ〜１１ｘ間の間隔ｔとすると、ランド部１２ｂ，１２ｃの径ｒは、
ｒ＝（３√２／２）×ｂ＋（√２−１）×ｔ−（√２／２）ｌ・・・（式１）
となる。
【００４３】
同様に△ＧＨＩからランド部１２ｄ，１２ｆの径ｒを求めると、
ＧＨ＝ｂ＋２ｔ＋ｌ
ＨＩ＝ｒ＋ｔ２
ＨＩ＝√２×ＧＨ
となり、上記３式より、
ｒ＋ｔ１＝√２×（ｂ＋２ｔ＋ｌ）
となる。
【００４４】
ランド部１２ｄ，１２ｆ間の間隔ｔ２を、これらランド部１２ｄ，１２ｆ間が短絡しないように帯状電極１１ａ〜１１ｘ間の間隔ｔとすると、ランド部１２ｄ，１２ｆの径ｒは、
ｒ＝√２×ｂ＋（２√２−１）×ｔ−√２×ｌ・・・（式２）
となる。
【００４５】
式１及び式２に示すように、ランド部１２ｂ〜１２ｄ，１２ｆの径ｒは、帯状電極１１ａ〜１１ｘの幅ｂ、配線電極１３ａ〜１３ｘの幅ｌとし、帯状電極間及びランド部間の幅ｔによって変わるが、帯状電極１１ａ〜１１ｘの幅ｂよりも広くすることができる。なお、ランド部が図２（ａ）中上側に配置された他の帯状電極１１ｇ，１１ｈ，１１ｊ〜１１ｌ，１１ｎ〜１１ｐ，１１ｒ〜１１ｔ，１１ｖ〜１１ｘ及びこれに接続されたランド部１２ｇ，１２ｈ，１２ｊ〜１２ｌ，１２ｎ〜１２ｐ，１２ｒ〜１２ｔ，１２ｖ〜１２ｘにおいても、これと同様の効果が生じる。
【００４６】
また、ランド部が図２（ａ）中下側に配置された領域においては、例えば図４（ｂ）に示すように、ランド部１２ａ，１２ｅの近傍には他のランド部が存在しないため、ランド部１２ａ，１２ｅを形成するための十分なスペースを確保することができる。なお、ランド部が図２（ａ）中下側に配置された他の帯状電極１１ｉ，１１ｍ，１１ｑ，１１ｕ及びこれに接続されたランド部１２ｉ，１２ｍ，１２ｑ，１２ｕにおいても、これと同様の効果が生じる。
【００４７】
（第２の実施の形態）
図５は、本発明のバーコード表示媒体の第２の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図、（ｄ）はレジスト層１１５を取り除いた構成を示す図である。
【００４８】
本形態における配線電極基板は図５に示すように、図２に示したものに対して、帯状電極１１１ａ〜１１１ｘに接続されたランド部１１２ａ〜１１２ｘ及びこれに対応するスルーホール１１４ａ〜１１４ｘが、帯状電極１１１ａ〜１１１ｘの一方の端部と他方の端部とに交互に接続、配置されている点が異なるものである。
【００４９】
上記のように構成された配線電極基板１１０においても、帯状電極１１１ａ〜１１１ｘが、その長手方向の一方の端部にランド部１１２ｂ，１１２ｄ，１１２ｆ，１１２ｈ，１１２ｊ，１１２ｌ，１１２ｎ，１１２ｐ，１１２ｒ，１１２ｔ，１１２ｖ，１１２ｘが接続された帯状電極１１１ｂ，１１１ｄ，１１１ｆ，１１１ｈ，１１１ｊ，１１１ｌ，１１１ｎ，１１１ｐ，１１１ｒ，１１１ｔ，１１１ｖ，１１１ｘと、その長手方向の他方の端部にランド部１１２ａ，１１２ｃ，１１２ｅ，１１２ｇ，１１２ｉ，１１２ｋ，１１２ｍ，１１２ｏ，１１２ｑ，１１２ｓ，１１２ｕ，１１２ｗが接続された帯状電極１１１ａ，１１１ｃ，１１１ｅ，１１１ｇ，１１１ｉ，１１１ｋ，１１１ｍ，１１１ｏ，１１１ｑ，１１１ｓ，１１１ｕ，１１１ｗとが混在して形成されているので、スルーホール１１４ａ〜１１４ｘが帯状電極１１１ａ〜１１１ｘの長手方向の一方の端部と他方の端部とに分散して形成されていることになり、それにより、帯状電極１１１ａ〜１１１ｘの幅が狭い場合であっても、ランド部１１２ａ〜１１２ｘが形成された領域にてスルーホール１１４ａ〜１１４ｘを形成するために十分なスペースが確保されることになる。
【００５０】
以下に、上述した効果について具体例を挙げて説明する。
【００５１】
図６は、図５に示した配線電極基板１１０にて生じる効果を説明するための図であり、ランド部が図５中下側に配置された領域の拡大図である。
【００５２】
図６に示すように、スルーホール１１４ａ，１１４ｃが形成されたランド部１１２ａ，１１２ｃの中心をそれぞれＫ，Ｌとし、ランド部１１２ａ，１１２ｃ，１１２ｅの径をｒ、帯状電極１１１ａ〜１１１ｘの幅をｂ、帯状電極１１１ａ，１１１ｃ，１１１ｅとランド部１１２ａ，１１２ｃ，１１２ｅとを接続する接続部分１１７ａ，１１７ｃ，１１７ｅの幅、すなわち配線電極１１３ａ〜１１３ｘをｌとし、帯状電極間１１１ａ〜１１１ｘ間の間隔を、帯状電極間１１１ａ〜１１１ｘ間が短絡しないような間隔ｔとし、ランド部１１２ａ，１１２ｃと配線電極１１３ｂとの間隔をそれぞれｔ３，ｔ４としてランド部１１２ａ，１１２ｃ，１１２ｅの径ｒを求める。
【００５３】
図６により、
ＫＬ＝ｒ＋ｔ３＋ｔ４＋ｌ
ＫＬ＝２ｂ＋２ｔ
となり、上記２式より、
ｒ＝２ｂ＋２ｔ−ｔ３−ｔ４−ｌ
となる。
【００５４】
ランド部１１２ａ，１１２ｃ間の間隔ｔ３，ｔ４を、ランド部１１２ａ，１１２ｃに対向する領域において配線電極１１３ａ〜１１３ｃが短絡しないように帯状電極１１１ａ〜１１１ｘ間の間隔ｔとすると、ランド部１１２ａ，１１２ｃ，１１２ｅの径ｒは、
ｒ＝２ｂ−ｌ・・・（式３）
となる。
【００５５】
ここで、配線電極１１３ａ〜１１３ｘの幅は、帯状電極１１１ａ〜１１１ｘの幅よりも狭いため、ランド部１１２ａ，１１２ｃ，１１２ｅの径ｒは、帯状電極１１１ａ〜１１１ｘの幅よりも広くすることができる。また、他のランド部１１２ｂ，１１２ｄ，１１２ｆ〜１１２ｘにおいても同様に、帯状電極１１１ａ〜１１１ｘの幅よりも広くすることができる。
【００５６】
また、図４（ａ）に示したように帯状電極の端部とランド部との距離を変える必要がないため、第１の実施の形態に示したものよりも省スペースにスルーホール１１４ａ〜１１４ｘを形成することができる。
【００５７】
上述したように、帯状電極１１ａ〜１１ｘ，１１１ａ〜１１１ｘの長手方向の両端部にて、ランド部１２ａ〜１２ｘ，１１２ａ〜１１２ｘ及びこれに形成されたスルーホール１４ａ〜１４ｘ，１１４ａ〜１１４ｘを周期的に異なる位置に配置することにより、スルーホール１４ａ〜１４ｘ，１１４ａ〜１１４ｘを形成するために十分なスペースを確保することができ、バーコードを表示するための帯状電極とこの帯状電極に電位を印加するための配線電極とを異なる層で構成することができる。
【００５８】
なお、ランド部１２ａ〜１２ｘ，１１２ａ〜１１２ｘ及びこれに形成されたスルーホール１４ａ〜１４ｘ，１１４ａ〜１１４ｘの配置の周期においては、上述したものに限らず、帯状電極とスルーホールの幅によって任意に設定することができる。
【符号の説明】
【００５９】
１    バーコード
２，３    バー
４    バーコード表示媒体
１０，１１０，２１０    配線電極基板
１１ａ〜１１ｘ，１１１ａ〜１１１ｘ    帯状電極
１２ａ〜１２ｘ，１１２ａ〜１１２ｘ    ランド部
１３ａ〜１３ｘ，１１３ａ〜１１３ｘ    配線電極
１４ａ〜１４ｘ，１１４ａ〜１１４ｘ    スルーホール
１５，１１５    レジスト層
１６，１１６    基板
１７ｂ〜１７ｄ，１７ｆ，１１７ａ，１１７ｃ，１１７ｅ    接続部分
２０    情報表示層
２１    隔壁
２２    隔壁内液体
２３    帯電性粒子
２４    シール層
３０    透明導電膜基板
３１    透明基板
３２    透明電極
【図１】
2014170101.tif 000003
【図２】
2014170101.tif 000004
【図３】
2014170101.tif 000005
【図４】
2014170101.tif 000006
【図５】
2014170101.tif 000007
【図６】
2014170101.tif 000008
【図７】
2014170101.tif 000009